(57)【要約】【課題】  サーマルヘッドを駆動するサーマルヘッド駆動方法及びサーマルヘッド駆動回路に関し、簡単な構成で、効率よくサーマルヘッドを駆動することができるサーマルヘッド駆動方法及びサーマルヘッド駆動回路を提供することを目的とする。【解決手段】本発明は、サーマルヘッドを駆動するサーマルヘッド駆動方法であって、サーマルヘッドを複数のグループに分割し、複数のグループ毎に共通電位端子を設け、サーマルヘッドを駆動する駆動回路を複数のグループで共有しており、複数のグループのうち駆動回路によって駆動するグループの共通電位端子に駆動電位を印加することを特徴とする。【選択図】図６
2007062282.tif 000002
【特許請求の範囲】
【請求項１】
サーマルヘッドを駆動するサーマルヘッド駆動方法であって、
前記サーマルヘッドを複数のグループに分割し、
前記複数のグループ毎に共通電位端子を設け、
前記サーマルヘッドを駆動する駆動回路を前記複数のグループで共有しており、
前記複数のグループのうち前記駆動回路によって駆動するグループの前記共通電位端子に駆動電位を印加することを特徴とするサーマルヘッド駆動方法。
【請求項２】
前記複数のグループのうち前記駆動回路によって駆動しないグループの前記共通電位端子は、開放状態とすることを特徴とする請求項１記載のサーマルヘッド駆動方法。
【請求項３】
前記複数のグループのうち前記駆動回路によって駆動しないグループの前記共通電位端子には一定の電位を印加することを特徴とする請求項１記載のサーマルヘッド駆動方法。
【請求項４】
前記サーマルヘッドを評価データによって駆動して、
電源端子に供給される電流を検出することにより、異常検出を行なうことを特徴とする請求項１乃至３のいずれか一項記載のサーマルヘッド駆動方法。
【請求項５】
前記電源端子に複数の給電線を介して共通電位を供給し、
前記複数の給電線を二以上のグループに分割し、
各グループ毎に異常検出を行い、
異常が検出されたグループ以外のグループの給電線により電源を供給して、印字動作を行なうことを特徴とする請求項４記載のサーマルヘッド駆動方法。
【請求項６】
異常が検出されたときに、印字速度を低下させることを特徴とする請求項４又は５記載のサーマルヘッド駆動方法。
【請求項７】
サーマルヘッドを駆動するサーマルヘッド駆動回路であって、
前記サーマルヘッドは、複数のグループに分割されており、該複数のグループ毎に共通電位端子が設けられており、
前記複数のグループで共有されており、グループ内のサーマルヘッドを駆動する駆動回路と、
前記複数のグループのうち前記駆動回路によって駆動するグループの前記共通電位端子に駆動電位を印加する共通電位切換回路とを有することを特徴とするサーマルヘッド駆動方法。
【請求項８】
前記共通電位切換回路は、前記複数のグループのうち前記駆動回路によって駆動しないグループの前記共通電位端子を開放状態とすることを特徴とする請求項７記載のサーマルヘッド駆動回路。
【請求項９】
前記共通電位切換回路は、前記複数のグループのうち前記駆動回路によって駆動しないグループの前記共通電位端子に一定の電圧を印加することを特徴とする請求項７記載のサーマルヘッド駆動回路。
【請求項１０】
電源端子に供給される電流を検出する電流検出回路と、
前記サーマルヘッドを評価データによって駆動した状態で、前記電流検出回路により前記電源端子に供給される電流の検出を行ない、異常検出を行なう制御回路とを有することを特徴とする請求項７乃至９のいずれか一項記載のサーマルヘッド駆動回路。
【請求項１１】
前記電源端子にグループ分けされた複数の給電線を介して前記電源を供給しており、
前記電流検出回路は、各グループに流れる電流を検出しており、
前記制御回路は、前記電流検出回路によって検出された電流に応じて各グループ毎に異常検出を行なうことを特徴とする請求項１０記載のサーマルヘッド駆動回路。
【請求項１２】
前記制御回路は、各グループへの電源の供給をオン／オフするスイッチ回路と、
前記異常検出が行なわれたグループへの前記電源の供給が停止するように前記スイッチ回路を制御する制御部とを有することを特徴とする請求項１１記載のサーマルヘッド駆動回路。
【請求項１３】
電源端子に供給される共通電位によってサーマルヘッドを駆動するサーマルヘッド駆動回路であって、
前記電源端子に供給される電流を検出する電流検出回路と、
前記サーマルヘッドを評価データによって駆動した状態で、前記電流検出回路により前記電源端子に供給される電流の検出を行ない、異常検出を行なう制御回路とを有することを特徴とするサーマルヘッド駆動回路。
【請求項１４】
前記電源端子にグループ分けされた複数の給電線を介して前記電源を供給しており、
前記電流検出回路は、各グループに流れる電流を検出しており、
前記制御回路は、前記電流検出回路によって検出された電流に応じて各グループ毎に異常検出を行なうことを特徴とする請求項１３記載のサーマルヘッド駆動回路。
【請求項１５】
前記制御回路は、各グループへの電源の供給をオン／オフするスイッチ回路と、
前記異常検出が行なわれたグループへの前記電源の供給が停止するように前記スイッチ回路を制御する制御部とを有することを特徴とする請求項１４記載のサーマルヘッド駆動回路。
【発明の詳細な説明】
【技術分野】
【０００１】
本発明はサーマルヘッド駆動方法及びサーマルヘッド駆動回路に係り、特に、サーマルヘッドを駆動するサーマルヘッド駆動方法及びサーマルヘッド駆動回路に関する。
【背景技術】
【０００２】
サーマルヘッドには、ＩＣ搭載方式とダイオードマトリクス方式の駆動方法があった。
【０００３】
図１はＩＣ搭載方式の駆動回路のブロック構成図を示す。
【０００４】
ＩＣ搭載方式の駆動回路１０は、発熱素子１１及び駆動ＩＣ１２から構成されている。発熱素子１１は、一端に共通電位Ｖcomが印加され、他端に駆動ＩＣ１２が接続されている。駆動ＩＣ１２は、駆動素子数ビット分のフリップフロップを内蔵しており、クロックに同期して、シリアルデータ転送されたデータを順次にフリップフロップに転送し、印字タイミングでフリップフロップにデータをラッチし、ストローブ信号によりフリップフロップにラッチされたデータに応じてドライバを駆動して、発熱素子１１に通電を行なう。このため、ドライバは駆動素子数ビット分必要であった。
【０００５】
図２はダイオードマトリクス方式の駆動回路のブロック構成図を示す。
【０００６】
ダイオードマトリクス方式の駆動回路２０は、発熱素子２１、駆動ＩＣ２２、ダイオード駆動グループ制御ＩＣ２４から構成されている。発熱素子２１は、ｎ個毎に、グループに分割されており、各グループ内のｎ個の発熱素子２１は、逆流防止用ダイオード２３を介して駆動グループ制御ＩＣ２４に接続されている。駆動ＩＣ２２は、ｎ個の発熱素子２１を同時に独立して駆動可能とされており、グループ毎に発熱素子２１を駆動可能とされている。
【発明の開示】
【発明が解決しようとする課題】
【０００７】
しかるに、従来のＩＣ搭載方式では、ドライバは駆動素子数ビット分必要であるため、駆動ＩＣの規模が大きくなり、また、ダイオードマトリクス方式のサーマルヘッド駆動回路で駆動素子数分のダイオードが必要であり、駆動回路の規模が大きくなるなどの問題点があった。
【０００８】
本発明は上記の点に鑑みてなされたもので、簡単な構成で、効率よくサーマルヘッドを駆動することができるサーマルヘッド駆動方法及びサーマルヘッド駆動回路を提供することを目的とする。
【課題を解決するための手段】
【０００９】
本発明は、サーマルヘッドを駆動するサーマルヘッド駆動方法であって、サーマルヘッドを複数のグループに分割し、複数のグループ毎に共通電位端子を設け、サーマルヘッドを駆動する駆動回路を複数のグループで共有しており、複数のグループのうち駆動回路によって駆動するグループの共通電位端子に駆動電位を印加することを特徴とする。
【００１０】
また、複数のグループのうち前記駆動回路によって駆動しないグループの前記共通電位端子は、開放状態とすることを特徴とする。
【００１１】
さらに、複数のグループのうち駆動回路によって駆動しないグループの共通電位端子には一定の電位を印加することを特徴とする。
【００１２】
また、本発明は、サーマルヘッドを評価データによって駆動して、共通電位端子に供給される電流を検出することにより、異常検出を行なうことを特徴とする。
【００１３】
電源端子に複数の給電線を介して電源を供給し、複数の給電線を二以上のグループに分割し、各グループ毎に異常検出を行い、異常が検出されたグループ以外のグループの給電線により共通電位を供給して、印字動作を行なうことを特徴とする。異常が検出されたときに、印字速度を低下させることを特徴とする。
【発明の効果】
【００１４】
本発明によれば、サーマルヘッドを複数のグループに分割し、複数のグループ毎に共通電位端子を設け、サーマルヘッドを駆動する駆動回路を複数のグループで共有しており、複数のグループのうち駆動回路によって駆動するグループの共通電位端子に駆動電位を印加することにより、構成を簡略化できる。また、非駆動状態のグループのサーマルヘッドに微小電流を流すことができるため、予備加熱することができ、高速印字が可能となる。
【００１５】
また、本発明によれば、サーマルヘッドを評価データによって駆動して、電源端子に供給される電流を検出することにより、異常検出を行なうことにより、確実に異常検出を行なえる。
【発明を実施するための最良の形態】
【００１６】
〔第１実施例〕
図３は本発明の第１実施例のシステム構成図を示す。
【００１７】
本実施例の印字システム１００は、上位装置１１１、印字装置１１２、電源装置１１３から構成されている。
【００１８】
上位装置１１１は、コンピュータシステムから構成されており、印字装置１１２に印字データを供給する。印字装置１１２は、制御回路１２１及び印字部１２２、接続ケーブル１２３から構成されている。制御回路１２１は、接続ケーブル１２３を介して電源、データ、制御信号などを印字部１２２に供給する。接続ケーブル１２３は、細線化された複数の接続線を束ねたものであり、駆動電源などを複数の接続線に分割して供給する構成とされている。これによって、接続ケーブル１２３が折曲しやすくなり、接続ケーブル１２３の扱いが容易になる。
【００１９】
制御回路１２１は、上位装置１１１から供給された印字データに基づいて印字部１２２を制御する。印字部１２２は、制御回路１２１により制御されて、印字データに応じた印字を印字用紙に行なう。
【００２０】
電源装置１１３は、印字装置１１２に駆動電源を供給している。印字装置１１２は、電源装置１１３から供給される電源によって駆動されて、印字を行なう。
【００２１】
図４は制御回路１２１のブロック構成図を示す。
【００２２】
制御回路１２１は、制御部１３１、サーマルヘッド駆動回路１３２、モータ駆動回路１３３、共通電位供給回路１３４から構成されている。
【００２３】
制御部１３１は、上位装置１１１からコマンドや印字データを受信して、印字のための各種制御を行なう。
【００２４】
サーマルヘッド駆動回路１３２は、制御部１３１により制御されて、印字部１２２を駆動するための駆動データを生成し、印字部１２２に供給する。
【００２５】
モータ駆動回路１３３は、制御部１３１により制御されて、印字部１２２に内蔵された紙送りモータを駆動するための駆動信号を生成し、印字部１２２に供給する。
【００２６】
共通電位供給回路１３４は、電源装置１１３から電源電圧が供給されており、制御部１３１により制御されて、印字部１２２の駆動電源となる共通電位を生成し、複数本の接続ケーブル１２３を介して印字部１２２に供給する。また、共通電位供給回路１３４は、制御部１３１と協働して、接続ケーブル１２３のショートを検出し、異常時には接続ケーブル１２３への給電を停止する保護動作を実行する。
【００２７】
図５は印字部１２２の構成図、図６は印字部１２２のブロック構成図を示す。
【００２８】
印字部１２２は、サーマルヘッド部１４１、プラテンローラ１４２、紙送りモータ１４３、減速機構１４４から構成されている。
【００２９】
サーマルヘッド部１４１は、セラミック基板に、サーマルヘッド部１５１、駆動回路１５２、共通電位切換回路１５３を搭載した構成とされている。サーマルヘッド部１５１は、ｎ×ｍ個の発熱素子１６１をｍ個のグループＧ１〜Ｇｍに分割した構成とされている。したがって、グループＧ１〜Ｇｍの各グループには、ｎ個の発熱素子１６１が割り当てられている。
【００３０】
発熱素子１６１は、例えば、抵抗体などから構成されており、電流が流れることにより発熱する。発熱素子１６１の一端はグループ毎に共通化されて接続されており、その接続点は共通電位切換回路１５３に接続されている。各グループの発熱素子１６１の一端には、共通電位切換回路１５３から共通電位が印加される。また、発熱素子１６１の他端は駆動回路１５２に接続されている。
【００３１】
駆動回路１５２は、ｎ個の発熱素子１６１が接続可能とされており、制御回路１２１から供給される印字データに応じてｎ個の発熱素子１６１を独立して駆動することができる。共通電位切換回路１５３は、駆動されるグループの発熱素子１６１の一端の接続点に共通電位を印加し、非駆動グループの発熱素子１６１の一端の接続点は開放状態するか、又は、特定の電位とする。
【００３２】
〔動作〕
図７〜図９は本発明の第１実施例の動作を説明するための模式図を示す。
【００３３】
ここでは、説明を簡単にするために、図７に示すように６個の発熱素子Ａ〜Ｆ、発熱素子ａ〜ｆをそれぞれ１グループとした場合について説明する。
【００３４】
ここで、６個の発熱素子Ａ〜Ｆを動作状態とし、発熱素子ａ〜ｆを非動作状態のとき、発熱素子Ａ、Ｂ、ａ、ｂに着目する。図８に示すように発熱素子Ａの抵抗をＲ00、発熱素子Ｂの抵抗をＲ01、発熱素子ａの抵抗をＲ10、発熱素子ｂの抵抗をＲ11とする。
【００３５】
発熱素子Ａがオン、発熱素子Ｂがオフの場合には、図９に示すような等価回路が構成される。このとき、発熱素子Ａ、Ｂ、ａ、ｂの抵抗Ｒ00、Ｒ01、Ｒ10、Ｒ11がＲ00＝Ｒ01＝Ｒ10＝Ｒ11＝ｒ、共通電圧をＶcom0とすると、発熱素子Ｂ、ａ、ｂで消費される電力は、
｛Ｖcom0／３ｒ｝＾2×ｒ＝（１／９）×（Ｖcom0＾2／ｒ）
となる。
【００３６】
これは、発熱素子Ａで消費される電力の（１／９）に相当する。よって、発熱素子Ｂ、ａ、ｂでは標準発色エネルギーの１／９となる。このため、発熱素子Ｂ、ａ、ｂによっては発色することはない。また、このとき、発熱素子Ｂ、ａ、ｂは標準発色エネルギーの１／９のエネルギーで発熱することになり、この発熱は発熱素子のプリヒート動作として作用する。
【００３７】
図１０〜図１２は本発明の第１実施例の他の状態における動作を説明するための模式図を示す。
【００３８】
次に図１０に示すように、発熱素子Ａ、Ｂ、Ｃ、ａ、ｂ、ｃに着目する。図１０に示すように発熱素子Ａの抵抗をＲ00、発熱素子Ｂの抵抗をＲ01、発熱素子Ｃの抵抗をＲ02、発熱素子ａの抵抗をＲ10、発熱素子ｂの抵抗をＲ11、発熱素子ｃの抵抗をＲ12とする。
【００３９】
発熱素子Ａがオン、発熱素子Ｂ、Ｃがオフの場合には、図１１に示すような等価回路が構成される。このとき、発熱素子Ａ〜Ｃ、ａ〜ｃの抵抗Ｒ00、Ｒ01、Ｒ02、Ｒ10、Ｒ11、Ｒ12がＲ00＝Ｒ01＝Ｒ02＝Ｒ10＝Ｒ11＝Ｒ12＝ｒとし、共通電圧をＶcom0とすると、発熱素子Ｂ、Ｃ、ａ、ｂ、ｃの合成抵抗は２ｒとなる。発熱素子Ｂ、Ｃ、ｂ、ｃ各々の消費電力は発熱素子Ａの消費電力の１／１６となる。また、発熱素子ａの消費電力は発熱素子Ａの消費電力の１／４となる。
【００４０】
発熱素子Ａ、Ｂがオン、発熱素子Ｃがオフの場合には、図１２に示すような等価回路が構成される。発熱素子Ｃ、ｃ各々での消費電力は、
｛Ｖcom0／（５ｒ／２）｝＾2×ｒ＝（４／２５）×（Ｖcom0＾2／ｒ）
となり、発熱素子Ａ、Ｂの消費電力の４／２５となる。また、発熱素子ａ、ｂ各々の消費電力は、発熱素子Ａ、Ｂの消費電力の１／２５となる。よって、発熱素子Ｃ、ａ、ｂ、ｃが発熱することはない。なお、この発熱は発熱素子のプリヒート動作として作用する。
【００４１】
以上のように、本実施例では、発熱素子の駆動回路を簡略化できる。また、非発熱素子をプリヒートすることができるため、発熱時の印加エネルギーを低減できるとともに、印字の高速化が可能となる。
【００４２】
なお、本実施例では、非加熱グループ側の共通電位Ｖcom1を開放状態としたが、非加熱グループ側の共通電位Ｖcom1を（１／３）Ｖcom0に設定することにより、全ての非発熱素子に発熱素子のエネルギーの１／９のエネルギーを印加することができる。
【００４３】
〔保護動作〕
次に、制御部１３１及び共通電位供給回路１３４による保護動作について説明する。
【００４４】
図１３は共通電位供給回路１３４の回路構成図を示す。
【００４５】
共通電位供給回路１３４は、共通電位生成回路２１１、第１のスイッチ回路２１２、第２のスイッチ回路２１３、第１の電流検出回路２１４、第２の電流検出回路２１５及び整流ダイオードＤ１、Ｄ２から構成されている。
【００４６】
共通電位生成回路２１１は、電源装置１１３から電源電圧が供給されており、電源装置１１３から供給された電源電圧に基づいて例えば、２種類の共通電位を生成する。共通電位生成回路２１１で生成された共通電位は、第１のスイッチ回路２１２及び第１の電流検出回路２１４、整流ダイオードＤ１を通して接続ケーブル１２３の一部を構成する電源接続線郡２３１に供給されるとともに、第２のスイッチ回路２１３及び第２の電流検出回路２１５、整流ダイオードＤ２を通して接続ケーブル１２３の一部を構成する電源接続線郡２３１に供給される。
【００４７】
電源接続線郡２３１は、例えば、各々４本のリード線Ｌ１〜Ｌ４から構成されている。このように、複数のリード線により電源を供給することにより、１本のリード線により電流を供給する場合に比べてリード線を細線化することが可能となる。前述したようにリード線を細線化することにより、接続ケーブル１２３の扱いを容易としている。
【００４８】
第１のスイッチ回路２１２及び第２のスイッチ回路２１３は、制御部１３１からのスイッチ信号によって各々にスイッチング可能とされている。
【００４９】
電流検出回路２１４は、検出抵抗Ｒs、誤差アンプ２２１、コンパレータ２２２、基準電源２２３から構成されている。
【００５０】
検出抵抗Ｒsは、第１のスイッチ回路２１２と電源接続線郡２３１との間に直列に接続されており、電源接続線郡２３１に供給される電流に応じた電圧をその両端に発生する。誤差アンプ２２１は、非反転入力端子が検出抵抗Ｒsと第１のスイッチ回路２１２との接続点に接続されており、反転入力端子が検出抵抗Ｒsと電源接続線郡２３１との接続点に接続されている。誤差アンプ２２１は、検出抵抗Ｒsに発生する電圧に応じた検出信号を出力する。誤差アンプ２２１の出力は、コンパレータ２２２の非反転入力端子に供給される。コンパレータ２２２の反転入力端子には、基準電源２２３から基準電圧が供給されている。ここで、基準電源２２３は、制御部１３１より制御可能とされている。
【００５１】
コンパレータ２２２は、誤差アンプ２２１の出力検出信号が基準電圧より大きければ出力をハイレベルにし、誤差アンプ２２１の出力検出信号が基準電圧より小さければ出力をローレベルにする。コンパレータ２２２の出力は、制御部１３１に供給される。
【００５２】
なお、第２の電流検出回路２１５は、第２のスイッチ回路２１３と電源接続線郡２３１との間に設けられており、その構成は第１の電流検出回路２１４と同じ構成である。
【００５３】
制御部１３１は、評価データを供給した状態で、印字部１２２を駆動したときのコンパレータ２２２の出力を検出することにより電源供給線郡２３１からの電流漏れの状態を検出し、第１のスイッチ回路２１２及び第２のスイッチ回路２１３を制御する。
【００５４】
図１４は制御部１３１の処理フローチャートを示す。
【００５５】
制御部１３１は、ステップＳ１−１で評価データを印字部１２２に供給し、ステップＳ１−２でデータラッチ指示を行なう。制御部１３１は、ステップＳ１−３でストローブをオンし、印字部１２２を評価データにより駆動する。なお、ここで、評価データは印字発色が行なわれないデータであり、発熱素子には短時間電流が流れることになる。
【００５６】
制御部１３１は、ステップＳ１−４で第１の電流検出回路２１４の出力が異常レベルか否かを判定する。制御部１３１は、ステップＳ１−４で第１の電流検出回路２１４の出力が異常レベルの場合には、電源供給線郡２３１にショートなどの異常があると判定できるため、ステップＳ１−５で第１のスイッチ回路２１２をオフする。
【００５７】
次に、制御部１３１はステップＳ１−６で第２の電流検出回路２１５の出力が異常レベルか否かを判定する。制御部１３１は、ステップＳ１−６で第２の電流検出回路２１５の出力が異常レベルの場合には、電源供給線郡２３１に異常があると判定できるため、ステップＳ１−７で第２のスイッチ回路２１３をオフし、電源供給線郡２３１への電流の供給を停止し、ステップＳ１−８でケーブル１２３の異常を上位装置１１１に通知する。この場合には、電源供給線郡２３１に異常があると判定できるため、印字動作は行なわれない。
【００５８】
また、制御部１３１は、ステップＳ１−６で第２の電流検出回路２１５の出力が異常レベルにない場合には、電源供給線郡２３１に異常がある旨を上位装置１１１に通知する。この場合は、電源供給線郡２３１によって小さい駆動電流であれば電流の供給が可能であるため、制御部１３１はステップＳ１−９で異常を上位装置１１１に通知し、ステップＳ１−１０で低速印字動作モードとして印字動作を行なう。低速印字動作モードは、低速度で印字動作を行なう印字動作モードであり、通常に比べて小さい駆動電流で印字を行なうことができる。これによって、電源供給線郡２３１から供給される小さい駆動電流によって印字動作を行なうことができる。
【００５９】
さらに、制御部１３１は、ステップＳ１−４で第１の電流検出回路２１５の出力が異常レベルにない場合には、ステップＳ１−１１で第２の電流検出回路２１５の出力が異常レベルか否かを判定する。制御部１３１は、ステップＳ１−１１で第２の電流検出回路２１５の出力が異常レベルのときには、電源供給線郡２３１にショートなどの何らかの異常があると判断できるため、ステップＳ１−１２で第２のスイッチ回路２１３をオフし、電源供給線郡２３１への電流の供給を停止し、ステップＳ１−１３で電源供給線郡２３１の異常を上位装置１１１に通知する。
【００６０】
ただし、この場合は、電源供給線郡２３１によって印字部１２２に駆動電流であれば電流の供給が可能である。このため、制御部１３１はステップＳ１−１４で印字動作モードを通常印字動作モードとして印字動作を行なう。
【００６１】
本実施例によれば、印字部１２２を評価データにより駆動した状態で印字部１２２に共通電位を供給するための電源供給線郡２３１に流れる電流を検出し、電源供給線郡２３１のショートなどの異常を検出することによって、確実に電源供給線郡２３１のショートなどの異常を確実に検出することができる。
【００６２】
また、印字部１２２に共通電位を供給する給電線郡を第１の電源供給線郡と第２の電源供給線郡２３２とに分けることにより第１の電源供給線郡に異常があった場合に第２の電源供給線郡により印字部１２２に給電が可能とし、第２の電源供給線郡に異常があった場合に第１の電源供給線郡により印字部１２２に給電を可能とするようにすることも可能である。また、このとき、低速印字動作モードに移行することにより、第１又は第２の電源供給線郡に対して大きな負荷をかけることなく、印字動作を行なうことが可能となる。
【００６３】
さらに、各ブロック毎の電源供給線郡に第１の電源供給線郡及び第２の電源供給線郡を設け、第１の電源供給線郡及び第２の電源供給線郡の各々の異常を判断することにより、更に決めの細かい制御を行なうことが可能である。例えば、第１の電源供給線郡、第２の電源供給線郡の応対に応じて非駆動素子を１／３電位で駆動するか、オフするかを制御するようにすることもできる。
【図面の簡単な説明】
【００６４】
【図１】ＩＣ搭載方式の駆動回路のブロック構成図である。
【図２】ダイオードマトリクス方式の駆動回路のブロック構成図である。
【図３】本発明の第１実施例のシステム構成図である。
【図４】制御回路１２１のブロック構成図である。
【図５】印字部１２２の構成図である。
【図６】印字部１２２のブロック構成図である。
【図７】本発明の第１実施例の動作を説明するための模式図である。
【図８】本発明の第１実施例の動作を説明するための模式図である。
【図９】本発明の第１実施例の動作を説明するための模式図である。
【図１０】本発明の第１実施例の他の状態における動作を説明するための模式図である。
【図１１】本発明の第１実施例の他の状態における動作を説明するための模式図である。
【図１２】本発明の第１実施例の他の状態における動作を説明するための模式図である。
【図１３】共通電位供給回路１３４の回路構成図である。
【図１４】制御部１３１の処理フローチャートである。
【符号の説明】
【００６５】
１００  印字システム、１１１  上位装置１１１  印字装置、１１３  電源装置
１２１  制御回路、１２２  印字部、１２３  接続ケーブル
１３１  制御部、１３２  サーマルヘッド駆動回路、１３３  モータ駆動回路
１３４  共通電位供給回路
１４１  サーマルヘッド部、１４２  プラテンローラ、１４３  紙送りモータ
１４４  減速機構
２１１  共通電位生成回路、２１２  第１のスイッチ回路
２１３  第２のスイッチ回路、２１４  第１の電流検出回路
２１５  第２の電流検出回路
【図１】
2007062282.tif 000003
【図２】
2007062282.tif 000004
【図３】
2007062282.tif 000005
【図４】
2007062282.tif 000006
【図５】
2007062282.tif 000007
【図６】
2007062282.tif 000008
【図７】
2007062282.tif 000009
【図８】
2007062282.tif 000010
【図９】
2007062282.tif 000011
【図１０】
2007062282.tif 000012
【図１１】
2007062282.tif 000013
【図１２】
2007062282.tif 000014
【図１３】
2007062282.tif 000015
【図１４】
2007062282.tif 000016